(57)【要約】【課題】無線端末の接続先または接続先候補である複数の接続対象基地局の全てに通知される基地局情報（ルートマップ情報）の送信に伴う無線端末の処理負荷と基地局情報の送信に伴う無線通信リソースの消費量とを低減しつつ、無線端末から接続対象基地局の全てに基地局情報を伝達可能とする。【解決手段】本発明に係る無線基地局は、無線端末の接続対象基地局の１つを構成する。また、本発明に係る無線基地局は、基地局情報の受信に成功したか否かを判定する受信判定部１２２と、基地局情報に含まれる基地局ＩＤに基づき、自局以外の接続対象基地局に基地局情報を中継するルートマップ情報中継部１２５と、基地局情報の受信に成功したと判定された場合、基地局情報の受信に成功したことを示す受信成功通知を無線端末に送信する確認応答送信部１２３とを備える。【選択図】図５
2009267846.tif 000002
【特許請求の範囲】
【請求項１】
接続先または接続先候補である複数の接続対象基地局の全てに通知される情報であって前記接続対象基地局を識別する基地局識別子を含む基地局情報を送信する無線端末と、
前記接続対象基地局の１つを構成し、前記基地局情報を前記無線端末から受信する無線基地局と
を含む無線通信システムであって、
前記無線基地局は、
前記基地局情報の受信に成功したか否かを判定する受信判定部と、
前記受信判定部によって前記基地局情報の受信に成功したと判定された場合、前記基地局情報に含まれる前記基地局識別子に基づき、前記無線基地局以外の前記接続対象基地局に前記基地局情報を中継する基地局情報中継部と、
前記受信判定部によって前記基地局情報の受信に成功したと判定された場合、前記基地局情報の受信に成功したことを示す受信成功通知を前記無線端末に送信する通知送信部と
を備え、
前記無線端末は、
前記基地局情報を前記無線基地局に送信するとともに、前記無線基地局以外の前記接続対象基地局に対する前記基地局情報の送信を省略する基地局情報送信部と、
前記無線基地局から前記受信成功通知を受信できない場合、前記基地局情報を前記無線基地局に再送する基地局情報再送部と
を備える無線通信システム。
【請求項２】
前記無線基地局は、前記基地局情報の中継先の接続対象基地局から、前記基地局情報の受信に成功したことを示す受信成功通知を受信できない場合に、前記基地局情報を前記中継先の接続対象基地局に再送する請求項１に記載の無線通信システム。
【請求項３】
前記基地局情報中継部は、前記無線基地局以外の前記接続対象基地局が複数存在する場合に、前記無線基地局以外の前記接続対象基地局のいずれか１つに前記基地局情報を中継する請求項１に記載の無線通信システム。
【請求項４】
前記接続対象基地局は、有線通信網を介して互いに接続され、
前記基地局情報中継部は、前記有線通信網を介して、前記無線基地局以外の前記接続対象基地局に前記基地局情報を中継する請求項１に記載の無線通信システム。
【請求項５】
前記接続対象基地局は、前記無線基地局に加え、第１接続対象基地局および第２接続対象基地局を含み、
前記基地局情報中継部は、前記基地局情報に含まれる前記基地局識別子に基づき、前記基地局情報を前記第１接続対象基地局に中継するとともに、前記第２接続対象基地局に対する前記基地局情報の中継を省略し、
前記第１接続対象基地局は、前記無線基地局によって中継された前記基地局情報の受信に成功した場合に、前記基地局情報に含まれる前記基地局識別子に基づき、前記基地局情報を前記第２接続対象基地局に中継する請求項１に記載の無線通信システム。
【請求項６】
前記基地局情報は、前記基地局情報を未受信である接続対象基地局を特定可能な特定用情報を含み、
前記第２接続対象基地局は、
前記第１接続対象基地局によって中継された前記基地局情報の受信に成功した場合、前記特定用情報に基づき、前記基地局情報を未受信である接続対象基地局が存在するか否かを判定し、
前記基地局情報を未受信である接続対象基地局が存在しないと判定した場合、前記基地局情報の受信に成功したことを示す受信成功通知を前記無線基地局に送信する請求項５に記載の無線通信システム。
【請求項７】
前記第１接続対象基地局は、
前記無線基地局によって中継された前記基地局情報の受信に成功した場合、前記特定用情報に基づき、前記基地局情報を未受信である接続対象基地局が存在するか否かを判定し、
前記基地局情報を未受信である接続対象基地局が存在すると判定した場合、前記無線基地局に対する前記受信成功通知の送信を省略する請求項６に記載の無線通信システム。
【請求項８】
前記無線端末は、前記基地局情報を前記無線基地局に送信する前に、前記無線基地局との接続に必要な論理通信路の確立を要求する確立要求を前記無線基地局に送信し、
前記無線基地局は、前記無線端末からの前記確立要求を許可する場合に、前記確立要求を許可する旨の確立許可通知を前記無線端末に送信し、
前記無線端末は、前記無線基地局から前記確立許可通知を受信した場合に、前記無線基地局との間に前記論理通信路を確立し、
前記基地局情報送信部は、前記無線基地局との間に前記論理通信路が確立された場合に、前記基地局情報を前記無線基地局に送信する請求項１〜７のいずれか１項に記載の無線通信システム。
【請求項９】
接続先または接続先候補である複数の接続対象基地局の全てに通知される情報であって前記接続対象基地局を識別する基地局識別子を含む基地局情報を無線端末から受信し、前記接続対象基地局の１つを構成する無線基地局であって、
前記基地局情報の受信に成功したか否かを判定する受信判定部と、
前記受信判定部によって前記基地局情報の受信に成功したと判定された場合、前記基地局情報に含まれる前記基地局識別子に基づき、前記無線基地局以外の前記接続対象基地局に前記基地局情報を中継する基地局情報中継部と、
前記受信判定部によって前記基地局情報の受信に成功したと判定された場合、前記無線端末によって実行される前記基地局情報の再送に用いられ、前記基地局情報の受信に成功したことを示す受信成功通知を前記無線端末に送信する通知送信部と
を備える無線基地局。
【請求項１０】
接続先または接続先候補である複数の接続対象基地局の全てに通知される情報であって前記接続対象基地局を識別する基地局識別子を含む基地局情報を送信する無線端末であって、
前記接続対象基地局の１つを構成する無線基地局に前記基地局情報を送信するとともに、前記無線基地局以外の前記接続対象基地局に対する前記基地局情報の送信を省略する基地局情報送信部と、
前記無線基地局が前記基地局情報の受信に成功したことを示す受信成功通知を前記無線基地局から受信できない場合に、前記基地局情報を前記無線基地局に再送する基地局情報再送部と
を備え、
前記基地局情報は、前記無線基地局によって前記無線基地局以外の前記接続対象基地局に中継される無線端末。
【請求項１１】
接続先または接続先候補である複数の接続対象基地局の全てに通知される情報であって前記接続対象基地局を識別する基地局識別子を含む基地局情報を送信する無線端末と、
前記接続対象基地局の１つを構成し、前記基地局情報を前記無線端末から受信する無線基地局と
を用いた無線通信方法であって、
前記無線端末が、前記基地局情報を前記無線基地局に送信するとともに、前記無線基地局以外の前記接続対象基地局に対する前記基地局情報の送信を省略するステップと、
前記無線基地局が、前記基地局情報の受信に成功したか否かを判定するステップと、
前記無線基地局が、前記判定するステップにおいて前記基地局情報の受信に成功したと判定された場合、前記基地局情報に含まれる基地局識別子に基づき、前記無線基地局以外の前記接続対象基地局に前記基地局情報を中継するステップと、
前記無線基地局が、前記判定するステップにおいて前記基地局情報の受信に成功したと判定された場合、前記基地局情報の受信に成功したことを示す受信成功通知を前記無線端末に送信するステップと、
前記無線端末が、前記無線基地局から前記受信成功通知を受信できない場合に、前記基地局情報を前記無線基地局に再送するステップと
を備える無線通信方法。
【発明の詳細な説明】
【技術分野】
【０００１】
本発明は、複数の無線基地局との間に論理通信路を確立可能な無線端末を用いた無線通信システム、当該無線通信システムにおける無線基地局、無線端末および無線通信方法に関する。
【背景技術】
【０００２】
無線通信システムにおいて、無線端末は、接続先候補の無線基地局に接続する際に各種のネゴシエーションを実行し、当該無線基地局に接続可能な状態となる。このような状態は、無線端末と無線基地局との間に論理通信路（ルート）が確立された状態と呼ばれる。
【０００３】
近年、複数の無線基地局との間に論理通信路を確立可能な無線端末の提供が検討されている。このような方式を採用する無線通信システムとして、3GPP2(Third Generation Partnership Project 2)にて標準化されているＵＭＢ(Ultra Mobile Broadband)システムが挙げられる（非特許文献１参照）。
【０００４】
ＵＭＢシステムでは、無線端末は、接続先または接続先候補である複数の無線基地局（以下、接続対象基地局と称する）のそれぞれとの間に論理通信路を確立する。これにより、無線端末は、１つの無線基地局を介して複数の接続対象基地局と同時に通信したり、接続先の切り替え（すなわち、ハンドオーバ）を高速に実行したりすることができる。
【０００５】
また、ＵＭＢシステムでは、基地局間通信を利用して、接続対象基地局同士で通信が実行される。例えば、ハンドオーバ元の接続対象基地局が無線端末と送受信していたデータを、ハンドオーバ先の接続対象基地局に転送することができる。このため、接続対象基地局のそれぞれは、他の接続対象基地局を把握している必要がある。
【０００６】
したがって、ＵＭＢシステムでは、無線端末は、接続対象基地局が更新（追加）された場合などにおいて、全ての接続対象基地局の情報（具体的には、基地局識別子）を含む基地局情報を全ての接続対象基地局に送信することが規定されている。このような基地局情報は、ルートマップ情報と呼ばれる。
【非特許文献１】“Overview for Ultra Mobile Broadband (UMB) Air Interface Specification（3GPP2 C.S0084-000-0）”、［online］、［平成20年4月15日検索］、http://www.3gpp2.org/Public_html/specs/C.S0084-000-0_v2.0_070904.pdf
【発明の開示】
【発明が解決しようとする課題】
【０００７】
しかしながら、無線端末が接続対象基地局の全てに基地局情報を送信する従来の手法においては、接続対象基地局が多いほど、基地局情報の送信に伴う無線端末の処理負荷と基地局情報の送信に伴う無線通信リソースの消費量とが増大する問題があった。
【０００８】
また、無線区間においては通信品質が劣化しやすく、無線端末によって送信された基地局情報が無線区間において損失する可能性がある。このため、必ずしも無線端末から接続対象基地局の全てに基地局情報を伝達できない問題があった。
【０００９】
そこで、本発明は、上述した課題を解決するためになされたものであり、基地局情報の送信に伴う無線端末の処理負荷と基地局情報の送信に伴う無線通信リソースの消費量とを低減しつつ、無線端末から接続対象基地局の全てに基地局情報を伝達することが可能な無線通信システム、無線基地局、無線端末および無線通信方法を提供することを目的とする。
【課題を解決するための手段】
【００１０】
上述した課題を解決するために、本発明は以下のような側面を有している。まず、本発明の第１の側面は、接続先または接続先候補である複数の接続対象基地局（無線基地局１Ａ〜１Ｃ）の全てに通知される情報であって前記接続対象基地局を識別する基地局識別子を含む基地局情報（ルートマップ情報Route_Map）を送信する無線端末（無線端末２）と、前記接続対象基地局の１つを構成し、前記基地局情報を前記無線端末から受信する無線基地局（無線基地局１Ａ）とを含む無線通信システム（無線通信システム１０）であって、前記無線基地局は、前記基地局情報の受信に成功したか否かを判定する受信判定部（受信判定部１２２）と、前記受信判定部によって前記基地局情報の受信に成功したと判定された場合、前記基地局情報に含まれる前記基地局識別子に基づき、前記無線基地局以外の前記接続対象基地局に前記基地局情報を中継する基地局情報中継部（ルートマップ情報中継部１２５）と、前記受信判定部によって前記基地局情報の受信に成功したと判定された場合、前記基地局情報の受信に成功したことを示す受信成功通知（Route_Map_Ackメッセージ）を前記無線端末に送信する通知送信部（確認応答送信部１２３）とを備え、前記無線端末は、前記基地局情報を前記無線基地局に送信するとともに、前記無線基地局以外の前記接続対象基地局に対する前記基地局情報の送信を省略する基地局情報送信部（ルートマップ情報送信部２２２）と、前記無線基地局から前記受信成功通知を受信できない場合、前記基地局情報を前記無線基地局に再送する基地局情報再送部（ルートマップ情報送信部２２２）とを備えることを要旨とする。
【００１１】
このような無線通信システムによれば、基地局情報の送信に伴う無線端末の処理負荷と基地局情報の送信に伴う無線通信リソースの消費量とを低減しつつ、無線端末から接続対象基地局の全てに基地局情報を伝達することができる。
【００１２】
本発明の第２の側面は、本発明の第１の側面に係り、前記無線基地局は、前記基地局情報の中継先の接続対象基地局から、前記基地局情報の受信に成功したことを示す受信成功通知を受信できない場合に、前記基地局情報を前記中継先の接続対象基地局に再送することを要旨とする。
【００１３】
本発明の第３の側面は、本発明の第１の側面に係り、前記基地局情報中継部は、前記無線基地局以外の前記接続対象基地局が複数存在する場合に、前記無線基地局以外の前記接続対象基地局のいずれか１つに前記基地局情報を中継することを要旨とする。
【００１４】
本発明の第４の側面は、本発明の第１の側面に係り、前記接続対象基地局は、有線通信網（バックボーンネットワーク５）を介して互いに接続され、前記基地局情報中継部は、前記有線通信網を介して、前記無線基地局以外の前記接続対象基地局に前記基地局情報を中継することを要旨とする。
【００１５】
本発明の第５の側面は、本発明の第１の側面に係り、前記接続対象基地局は、前記無線基地局に加え、第１接続対象基地局（無線基地局１Ｂ）および第２接続対象基地局（無線基地局１Ｃ）を含み、前記基地局情報中継部は、前記基地局情報に含まれる前記基地局識別子に基づき、前記基地局情報を前記第１接続対象基地局に中継するとともに、前記第２接続対象基地局に対する前記基地局情報の中継を省略し、前記第１接続対象基地局は、前記無線基地局によって中継された前記基地局情報の受信に成功した場合に、前記基地局情報に含まれる前記基地局識別子に基づき、前記基地局情報を前記第２接続対象基地局に中継することを要旨とする。
【００１６】
本発明の第６の側面は、本発明の第５の側面に係り、前記基地局情報は、前記基地局情報を未受信である接続対象基地局を特定可能な特定用情報を含み、前記第２接続対象基地局は、前記第１接続対象基地局によって中継された前記基地局情報の受信に成功した場合、前記特定用情報に基づき、前記基地局情報を未受信である接続対象基地局が存在するか否かを判定し、前記基地局情報を未受信である接続対象基地局が存在しないと判定した場合、前記基地局情報の受信に成功したことを示す受信成功通知（Route_Map_Ackメッセージ）を前記無線基地局に送信することを要旨とする。
【００１７】
本発明の第７の側面は、本発明の第６の側面に係り、前記第１接続対象基地局は、前記無線基地局によって中継された前記基地局情報の受信に成功した場合、前記特定用情報に基づき、前記基地局情報を未受信である接続対象基地局が存在するか否かを判定し、前記基地局情報を未受信である接続対象基地局が存在すると判定した場合、前記無線基地局に対する前記受信成功通知の送信を省略することを要旨とする。
【００１８】
本発明の第８の側面は、本発明の第１〜第７のいずれかの側面に係り、前記無線端末は、前記基地局情報を前記無線基地局に送信する前に、前記無線基地局との接続に必要な論理通信路（ルート）の確立を要求する確立要求（Route_Openメッセージ）を前記無線基地局に送信し、前記無線基地局は、前記無線端末からの前記確立要求を許可する場合に、前記確立要求を許可する旨の確立許可通知（Route_Open_Acceptメッセージ）を前記無線端末に送信し、前記無線端末は、前記無線基地局から前記確立許可通知を受信した場合に、前記無線基地局との間に前記論理通信路を確立し、前記基地局情報送信部は、前記無線基地局との間に前記論理通信路が確立された場合に、前記基地局情報を前記無線基地局に送信することを要旨とする。
【００１９】
本発明の第９の側面は、接続先または接続先候補である複数の接続対象基地局（無線基地局１Ａ〜１Ｃ）の全てに通知される情報であって前記接続対象基地局を識別する基地局識別子を含む基地局情報（ルートマップ情報Route_Map）を無線端末（無線端末２）から受信し、前記接続対象基地局の１つを構成する無線基地局（無線基地局１Ａ）であって、前記基地局情報の受信に成功したか否かを判定する受信判定部（受信判定部１２２）と、前記受信判定部によって前記基地局情報の受信に成功したと判定された場合、前記基地局情報に含まれる前記基地局識別子に基づき、前記無線基地局以外の前記接続対象基地局に前記基地局情報を中継する基地局情報中継部（ルートマップ情報中継部１２５）と、前記受信判定部によって前記基地局情報の受信に成功したと判定された場合、前記無線端末によって実行される前記基地局情報の再送に用いられ、前記基地局情報の受信に成功したことを示す受信成功通知（Route_Map_Ackメッセージ）を前記無線端末に送信する通知送信部（確認応答送信部１２３）とを備えることを要旨とする。
【００２０】
本発明の第１０の側面は、接続先または接続先候補である複数の接続対象基地局（無線基地局１Ａ〜１Ｃ）の全てに通知される情報であって前記接続対象基地局を識別する基地局識別子を含む基地局情報（ルートマップ情報Route_Map）を送信する無線端末（無線端末２）であって、前記接続対象基地局の１つを構成する無線基地局（無線基地局１Ａ）に前記基地局情報を送信するとともに、前記無線基地局以外の前記接続対象基地局に対する前記基地局情報の送信を省略する基地局情報送信部（ルートマップ情報送信部２２２）と、前記無線基地局が前記基地局情報の受信に成功したことを示す受信成功通知（Route_Map_Ackメッセージ）を前記無線基地局から受信できない場合に、前記基地局情報を前記無線基地局に再送する基地局情報再送部（ルートマップ情報送信部２２２）とを備え、前記基地局情報は、前記無線基地局によって前記無線基地局以外の前記接続対象基地局に中継されることを要旨とする。
【００２１】
本発明の第１１の側面は、接続先または接続先候補である複数の接続対象基地局の全てに通知される情報であって前記接続対象基地局を識別する基地局識別子を含む基地局情報を送信する無線端末と、前記接続対象基地局の１つを構成し、前記基地局情報を前記無線端末から受信する無線基地局とを用いた無線通信方法であって、前記無線端末が、前記基地局情報を前記無線基地局に送信するとともに、前記無線基地局以外の前記接続対象基地局に対する前記基地局情報の送信を省略するステップと、前記無線基地局が、前記基地局情報の受信に成功したか否かを判定するステップと、前記無線基地局が、前記判定するステップにおいて前記基地局情報の受信に成功したと判定された場合、前記基地局情報に含まれる基地局識別子に基づき、前記無線基地局以外の前記接続対象基地局に前記基地局情報を中継するステップと、前記無線基地局が、前記判定するステップにおいて前記基地局情報の受信に成功したと判定された場合、前記基地局情報の受信に成功したことを示す受信成功通知を前記無線端末に送信するステップと、前記無線端末が、前記無線基地局から前記受信成功通知を受信できない場合に、前記基地局情報を前記無線基地局に再送するステップとを備えることを要旨とする。
【発明の効果】
【００２２】
本発明によれば、基地局情報の送信に伴う無線端末の処理負荷と基地局情報の送信に伴う無線通信リソースの消費量とを低減しつつ、無線端末から接続対象基地局の全てに基地局情報を伝達することが可能な無線通信システム、無線基地局、無線端末および無線通信方法を提供できる。
【発明を実施するための最良の形態】
【００２３】
次に、図面を参照して、本発明の実施形態を説明する。具体的には、（１）無線通信システムの構成、（２）ルートマップ情報の具体例、（３）無線通信システムの動作、（４）作用・効果、（５）その他の実施形態について説明する。以下の実施形態における図面の記載において、同一又は類似の部分には同一又は類似の符号を付している。
【００２４】
（１）無線通信システムの構成
まず、本実施形態に係る無線通信システムの構成について、（１．１）無線通信システムの全体概略構成、（１．２）無線端末の構成、（１．３）無線基地局の構成の順に説明する。
【００２５】
（１．１）無線通信システムの全体概略構成
図１は、本実施形態に係る無線通信システム１０の全体概略構成図である。
【００２６】
図１に示すように、無線通信システム１０は、無線基地局１Ａ〜１Ｃと、無線端末２と、アクセスゲートウェイ３と、ネットワーク４と、バックボーンネットワーク５とを含む。
【００２７】
本実施形態では、無線通信システム１０は、高速通信可能な広域ＩＰブロードバンドシステムの１つである3GPP2 UMB Air Interface（以下、単に「ＵＭＢシステム」という）に基づく構成を有する。
【００２８】
無線基地局１Ａ〜１Ｃおよびアクセスゲートウェイ３は、有線通信網であるバックボーンネットワーク５を介して互いに接続されている。無線基地局１Ａ〜１Ｃは、バックボーンネットワーク５およびアクセスゲートウェイ３を介してネットワーク４と通信可能である。また、無線基地局１Ａ〜１Ｃは、互いに有線通信（すなわち、基地局間通信）することができる。なお、ネットワーク４は、インターネットなどの広域通信網である。
【００２９】
無線基地局１Ａ〜１Ｃは、自局の通信可能エリア内に位置する無線端末と無線通信する。無線端末２は、無線基地局１Ａ〜１Ｃが報知する無線信号（いわゆる、パイロット信号）の受信ＳＮＲ、受信ＲＳＳＩまたは受信ＦＥＲなどの受信品質を測定する。
【００３０】
そして、無線端末２は、受信品質が一定品質以上となる無線基地局に対し、ルートの確立を要求するメッセージを送信する。ここで、一定品質とは、無線端末２が接続した場合に正常に通信可能な程度の無線品質を指している。このようなルートの確立を要求するメッセージは、ＵＭＢシステムではRoute_Openメッセージと呼ばれる。
【００３１】
受信品質が一定品質以上となる無線基地局は、無線端末２の接続先または接続先候補の無線基地局（すなわち、接続対象基地局）となる。ＵＭＢシステムでは、無線端末２は、少なくとも６つ程度のルートを確立する。すなわち、無線端末２の接続対象基地局は、少なくとも６つ程度である。接続対象基地局のそれぞれは、基地局間通信を利用して、接続対象基地局同士で通信可能である。
【００３２】
なお、ルートを確立する対象には、無線端末２との通信セッションを管理する装置（ＳＲＮＣ）なども含まれてもよい。本実施形態では、説明の便宜上、無線端末２が無線基地局１Ａ〜１Ｃとの間にのみルートを確立する場合について説明する。
【００３３】
無線端末２は、無線基地局１Ｂ（第１接続対象基地局）および無線基地局１Ｃ（第２接続対象基地局）との間にルートを確立済みであり、無線基地局１Ａとの間に新たなルートを確立するものとする。具体的には、無線端末２は、無線基地局１Ａの通信可能エリア内に向けて移動中であり、無線基地局１Ａへのハンドオーバを実行する。
【００３４】
なお、ＵＭＢシステムにおいては、複数のルートの集合体をルートセットと呼ぶ。無線端末２は、ルートセットが更新されるたびに、ルートを識別するルートＩＤと、接続対象基地局を識別する基地局ＩＤとを対応付けた基地局情報（以下、ルートマップ情報Route_Map）を接続対象基地局の全てに通知する必要がある。
【００３５】
（１．２）無線端末の構成
次に、無線端末２の構成について、（１．２．１）無線端末の概略構成、（１．２．２）無線端末の詳細構成の順に説明する。
【００３６】
（１．２．１）無線端末の概略構成
図２は、無線端末２の概略構成図である。図２に示すように、無線端末２は、ＲＦ部２１０、制御部２２０、記憶部２３０、表示部２４０、操作部２５０、マイク２６０、スピーカ２７０および音声コーデック部２８０を含む。
【００３７】
ＲＦ部２１０は、ＬＮＡ、パワーアンプ、アップコンバータおよびダウンコンバータなどを含み、無線信号の送受信を行う。
【００３８】
制御部２２０は、例えばＣＰＵによって構成され、無線端末２が具備する各種機能を制御する。また、制御部２２０は、無線基地局との間にルートを確立する機能を有する。具体的には、制御部２２０は、ルート確立時において、無線基地局と各種のネゴシエーションを実行する。
【００３９】
記憶部２３０は、例えばメモリによって構成され、無線端末２における制御などに用いられる各種情報を記憶する。本実施形態では、記憶部２３０には、上述したルートマップ情報Route_Mapが記憶されている。
【００４０】
表示部２４０は、制御部２２０を介して受信した画像を表示したり、操作内容（入力電話番号やアドレスなど）を表示したりする。操作部２５０は、テンキーやファンクションキーなどによって構成され、ユーザの操作内容を入力するために用いられるインタフェースである。
【００４１】
マイク２６０は、音声を集音し、集音された音声に基づく音声データを音声コーデック部２８０経由で制御部２２０に入力する。スピーカ２７０は、音声コーデック部２８０を介して制御部２２０から取得した音声データに基づいて音声を出力する。
【００４２】
（１．２．２）無線端末の詳細構成
次に、無線端末２の詳細構成、具体的には、制御部２２０の機能ブロック構成について説明する。図３は、制御部２２０の機能ブロック構成図である。
【００４３】
図３に示すように、制御部２２０は、ルート管理部２２１、ルートマップ情報送信部２２２および確認応答受信部２２３を含む。
【００４４】
ルート管理部２２１は、接続対象基地局との間にルートを確立し、確立したルートを管理する。本実施形態では、ルート管理部２２１は、無線基地局１Ａとの間にルートを確立するものとする。また、ルート管理部２２１は、ルートマップ情報Route_Mapの生成および更新を行う。
【００４５】
ルートマップ情報送信部２２２は、ルート管理部２２１によってルートマップ情報Route_Mapが更新された場合に、ルートマップ情報Route_Mapを送信する。具体的には、ルート管理部２２１が新たなルートを確立すると、ルートマップ情報送信部２２２は、当該新たなルートを確立した無線基地局１Ａに対し、更新後のルートマップ情報Route_Mapを送信する。
【００４６】
確認応答受信部２２３は、ルートマップ情報Route_Mapの送信先の無線基地局１Ａから、Route_Map_Ackメッセージを受信する機能を有する。Route_Map_Ackメッセージは、ルートマップ情報Route_Mapの受信に成功したことを示す確認応答である。
【００４７】
ルートマップ情報送信部２２２は、ルートマップ情報Route_Mapを送信してから、所定時間以内にRoute_Map_Ackメッセージを受信できない場合、ルートマップ情報Route_Mapを再送する。すなわち、ルートマップ情報送信部２２２は、基地局情報（ルートマップ情報Route_Map）を再送する基地局情報再送部を構成する。
【００４８】
（１．３）無線基地局の構成
次に、無線基地局１Ａ〜１Ｃの構成について、（１．３．１）無線基地局の概略構成、（１．３．２）無線基地局の詳細構成の順に説明する。ただし、無線基地局１Ｂおよび無線基地局１Ｃの構成は無線基地局１Ａと同様であるため、無線基地局１Ｂおよび無線基地局１Ｃの構成についての説明は省略する。
【００４９】
（１．３．１）無線基地局の概略構成
図４は、無線基地局１Ａの概略構成図である。図４に示すように、無線基地局１Ａは、ＲＦ部１１０、制御部１２０、Ｉ／Ｆ部１３０および記憶部１４０を含む。
【００５０】
ＲＦ部１１０は、ＬＮＡ、パワーアンプ、アップコンバータおよびダウンコンバータなどを含み、無線信号の送受信を行う。
【００５１】
制御部１２０は、例えばＣＰＵによって構成され、無線基地局１Ａが具備する各種機能を制御する。また、制御部１２０は、無線端末２との間にルートを確立する機能を有する。具体的には、制御部１２０は、ルート確立時において、無線端末２と各種のネゴシエーションを実行する。
【００５２】
記憶部１４０は、例えばメモリによって構成され、無線基地局１Ａにおける制御などに用いられる各種情報を記憶する。Ｉ／Ｆ部１３０は、バックボーンネットワーク５を介して、無線基地局１Ｂ、無線基地局１Ｃおよびアクセスゲートウェイ３などに有線接続される。
【００５３】
（１．３．２）無線基地局の詳細構成
次に、無線基地局１Ａの詳細構成、具体的には、制御部１２０の機能ブロック構成について説明する。図５は、制御部１２０の機能ブロック構成図である。
【００５４】
図５に示すように、制御部１２０は、ルートマップ情報受信部１２１、受信判定部１２２、確認応答送信部１２３、基地局間通信制御部１２４、ルートマップ情報中継部１２５および確認応答受信部１２６を含む。
【００５５】
ルートマップ情報受信部１２１は、ルートマップ情報Route_Mapを受信する機能を有する。受信判定部１２２は、ルートマップ情報受信部１２１がルートマップ情報Route_Mapの受信に成功したか否かを判定する。例えば、ルートマップ情報Route_Mapが復号できないような場合には、受信失敗と判定される。
【００５６】
確認応答送信部１２３は、受信判定部１２２によってルートマップ情報Route_Mapの受信に成功したと判定された場合、ルートマップ情報Route_Mapの受信に成功したことを示す受信成功通知（Route_Map_Ackメッセージ）を無線端末２に送信する。すなわち、確認応答送信部１２３は、通知送信部として機能する。
【００５７】
基地局間通信制御部１２４は、ルートマップ情報Route_Mapに基づいて他の接続対象基地局を把握し、把握した接続対象基地局と基地局間通信を実行する。このような基地局間通信としては、無線端末２に送信すべきパケットの基地局間転送や、無線端末２から受信したパケットの基地局間転送などが挙げられる。
【００５８】
ルートマップ情報中継部１２５は、受信判定部１２２によってルートマップ情報Route_Mapの受信に成功したと判定された場合、ルートマップ情報受信部１２１が受信したルートマップ情報Route_Mapに含まれる基地局ＩＤに基づき、無線基地局１Ａ以外の接続対象基地局にルートマップ情報Route_Mapを中継する。すなわち、ルートマップ情報中継部１２５は、基地局情報中継部として機能する。本実施形態では、ルートマップ情報中継部１２５は、無線基地局１Ｂにルートマップ情報Route_Mapを中継するものとする。
【００５９】
ここで、ルートマップ情報中継部１２５は、ルートマップ情報Route_Mapを中継する際、中継されるルートマップ情報Route_Mapに対して、自局がルートマップ情報Route_Mapを受信した旨の情報（フラグ）を含める。
【００６０】
確認応答受信部１２６は、ルートマップ情報Route_Mapの中継先の接続対象基地局からRoute_Map_Ackメッセージを受信する機能を有する。ルートマップ情報中継部１２５は、ルートマップ情報Route_Mapを中継してから、所定時間以内にRoute_Map_Ackメッセージを受信できない場合、ルートマップ情報Route_Mapを再送する。
【００６１】
（２）ルートマップ情報の具体例
図６は、ルートマップ情報Route_Mapの具体例を示す図である。
【００６２】
図６に示すように、ルートマップ情報Route_Mapは、無線端末２が確立したルートを識別するルートＩＤと、無線端末２の接続対象基地局を識別する基地局ＩＤとを対応付けた情報である。
【００６３】
例えば、ルートＩＤ“＃１”および基地局ＩＤ“＃０１１”は、無線基地局１Ａに対応する情報である。ルートＩＤ“＃２”および基地局ＩＤ“＃０１０”は、無線基地局１Ｂに対応する情報である。ルートＩＤ“＃３”および基地局ＩＤ“＃１０１”は、無線基地局１Ｃに対応する情報である。
【００６４】
無線基地局１Ａ〜１Ｃのそれぞれは、ルートマップ情報Route_Mapを受信すると、ルートマップ情報Route_Mapにおける自局の情報に対し、ルートマップ情報Route_Mapを受信したことを示すフラグを付ける。これにより、ルートマップ情報Route_Mapを未受信である接続対象基地局が特定可能となる。以下では、当該フラグを特定用情報と称する。
【００６５】
（３）無線通信システムの動作
次に、無線通信システム１０の動作について、（３．１）動作パターン１、（３．２）動作パターン２、（３．３）動作パターン３の順に説明する。
【００６６】
（３．１）動作パターン１
図７は、無線通信システム１０の動作パターン１を示す動作シーケンス図である。
【００６７】
ステップＳ１０１において、無線端末２は、ルートの確立を要求するRoute_Openメッセージを無線基地局１Ａに送信する。
【００６８】
ステップＳ１０２において、無線基地局１Ｂは、ルートの確立を受理する旨のRoute_Open_Acceptメッセージを無線端末２に送信する。この結果、無線端末２と無線基地局１Ａとの間にルートが確立される。
【００６９】
ステップＳ１０３において、無線端末２の確認応答送信部１２３は、ルートマップ情報Route_Mapを無線基地局１Ａに送信する。動作パターン１では、ルートマップ情報Route_Mapは、無線基地局１Ａに正常に伝達されるものとする。
【００７０】
ステップＳ１０４において、無線基地局１Ａの確認応答送信部１２３は、Route_Map_Ackメッセージを無線端末２に送信する。
【００７１】
ステップＳ１０５において、無線基地局１Ａのルートマップ情報中継部１２５は、無線端末２から受信したルートマップ情報Route_Mapを無線基地局１Ｂに中継する。その際、ルートマップ情報中継部１２５は、ルートマップ情報Route_Mapに対し、上述した特定用情報を付加する。
【００７２】
無線基地局１Ｂのルートマップ情報受信部１２１は、無線基地局１Ａからルートマップ情報Route_Mapを受信する。
【００７３】
ステップＳ１０６において、無線基地局１Ｂのルートマップ情報中継部１２５は、ルートマップ情報Route_Mapに含まれる基地局ＩＤに基づき、無線基地局１Ａから受信したルートマップ情報Route_Mapを無線基地局１Ｃに中継する。
【００７４】
ここで、無線基地局１Ｂのルートマップ情報中継部１２５は、特定用情報に基づき、ルートマップ情報Route_Mapを未受信である接続対象基地局が存在するか否かを判定する。ルートマップ情報Route_Mapを未受信である接続対象基地局が存在する場合、無線基地局１Ｂの確認応答送信部１２３は、無線基地局１Ａに対するRoute_Map_Ackメッセージの送信を省略する。
【００７５】
本動作パターンでは、ルートマップ情報Route_Mapは、無線基地局１Ｂから無線基地局１Ｃに正常に伝達される。無線基地局１Ｃのルートマップ情報受信部１２１は、無線基地局１Ｂからルートマップ情報Route_Mapを受信する。
【００７６】
無線基地局１Ｃのルートマップ情報中継部１２５は、特定用情報に基づき、ルートマップ情報Route_Mapを未受信である接続対象基地局が存在するか否かを判定する。ここでは、ルートマップ情報Route_Mapを未受信である接続対象基地局が存在しないため、無線基地局１Ｃの確認応答送信部１２３は、ルートマップ情報Route_Mapを最初に中継した無線基地局である無線基地局１Ａに対し、Route_Map_Ackメッセージを直接送信する（ステップＳ１０７）。
【００７７】
これにより、無線基地局１Ａは、全ての接続対象基地局に対してルートマップ情報Route_Mapが伝達されたことを確認することができる。
【００７８】
なお、動作パターン１では、無線基地局１Ａは、Route_Map_Ackメッセージの送信後にルートマップ情報Route_Mapを無線基地局１Ｂに中継しているが、ルートマップ情報Route_Mapを無線基地局１Ｂに中継後においてRoute_Map_Ackメッセージを送信してもよい。
【００７９】
（３．２）動作パターン２
図８は、無線通信システム１０の動作パターン２を示す動作シーケンス図である。動作パターン２では、無線端末２から無線基地局１Ａへ送信されたルートマップ情報Route_Mapが無線区間において損失する場合について説明する。ただし、動作パターン１と重複する説明は省略する。
【００８０】
ステップＳ２０１において、無線端末２は、Route_Openメッセージを無線基地局１Ａに送信する。ステップＳ２０２において、無線基地局１Ｂは、Route_Open_Acceptメッセージを無線端末２に送信する。
【００８１】
ステップＳ２０３において、無線端末２の確認応答送信部１２３は、ルートマップ情報Route_Mapを無線基地局１Ａに送信する。その際、ルートマップ情報Route_Mapが無線区間において損失する。
【００８２】
無線端末２の確認応答送信部１２３は、ルートマップ情報Route_Mapを送信してから、所定時間以内にRoute_Map_Ackメッセージを受信できないため、ルートマップ情報Route_Mapを無線基地局１Ａに再送する（ステップＳ２０４）。この結果、無線基地局１Ａは、ルートマップ情報Route_Mapを正常に受信することができる。
【００８３】
（３．３）動作パターン３
図９は、無線通信システム１０の動作パターン３を示す動作シーケンス図である。動作パターン３では、無線基地局１Ａから無線基地局１Ｃへ送信されたルートマップ情報Route_Mapがバックボーンネットワーク５における回線異常により損失する場合について説明する。ただし、動作パターン１，２と重複する説明は省略する。
【００８４】
ステップＳ３０１において、無線端末２は、Route_Openメッセージを無線基地局１Ａに送信する。ステップＳ３０２において、無線基地局１Ｂは、Route_Open_Acceptメッセージを無線端末２に送信する。
【００８５】
ステップＳ３０３において、無線端末２の確認応答送信部１２３は、ルートマップ情報Route_Mapを無線基地局１Ａに送信する。
【００８６】
ステップＳ３０４において、無線基地局１Ａのルートマップ情報中継部１２５は、ルートマップ情報Route_Mapに含まれる基地局ＩＤに基づき、無線端末２から受信したルートマップ情報Route_Mapを無線基地局１Ｂに中継する。ステップＳ３０５において、無線基地局１Ａの確認応答送信部１２３は、Route_Map_Ackメッセージを無線端末２に送信する。
【００８７】
ステップＳ３０６において、無線基地局１Ｂのルートマップ情報中継部１２５は、ルートマップ情報Route_Mapに含まれる基地局ＩＤに基づき、無線基地局１Ａから受信したルートマップ情報Route_Mapを無線基地局１Ｃに中継する。ここで、ルートマップ情報Route_Mapは、バックボーンネットワーク５において損失する。
【００８８】
無線基地局１Ａのルートマップ情報中継部１２５は、ルートマップ情報Route_Mapを中継してから、所定時間以内にRoute_Map_Ackメッセージを受信できないため、ルートマップ情報Route_Mapを無線基地局１Ｂに再送する（ステップＳ３０７）。
【００８９】
無線基地局１Ｂのルートマップ情報受信部１２１は、無線基地局１Ａによって再送されたルートマップ情報Route_Mapを受信する。再送されたルートマップ情報Route_Mapを受信した場合、無線基地局１Ｂの確認応答送信部１２３は、Route_Map_Ackメッセージを送信する。このように、回線異常が発生するような状況下では、ルートマップ情報Route_Mapを最後に受信する場合以外でも、Route_Map_Ackメッセージを送信するものとする。
【００９０】
これにより、無線基地局１Ａは、ルートマップ情報Route_Mapを受信できていない無線基地局を特定可能となる。したがって、無線基地局１Ａは、ルートマップ情報Route_Mapを受信できていない無線基地局に対して別途ルートマップ情報Route_Mapを送信することができる。
【００９１】
ステップＳ３０９において、無線基地局１Ｂのルートマップ情報中継部１２５は、ルートマップ情報Route_Mapを無線基地局１Ｃに中継する。無線基地局１Ｃの確認応答送信部１２３は、ルートマップ情報Route_Mapを最初に中継した無線基地局である無線基地局１Ａに対し、Route_Map_Ackメッセージを直接送信する（ステップＳ３１０）。
【００９２】
（４）作用・効果
無線基地局１Ａのルートマップ情報中継部１２５は、ルートマップ情報Route_Mapに含まれる基地局ＩＤに基づき、無線基地局１Ａ以外の接続対象基地局（本実施形態では、無線基地局１Ｂ）にルートマップ情報Route_Mapを中継する。
【００９３】
これにより、無線端末２は、無線基地局１Ｂおよび無線基地局１Ｃに対するルートマップ情報Route_Mapの送信を省略可能となり、ルートマップ情報Route_Mapの送信に伴う無線端末２の処理負荷と、ルートマップ情報Route_Mapの送信に伴う無線通信リソースの消費量とを低減できる。
【００９４】
ただし、このような方式では、無線端末２から無線基地局１Ａへルートマップ情報Route_Mapの伝達に失敗すると、全ての接続対象基地局（無線基地局１Ａ〜１Ｃ）に対してルートマップ情報Route_Mapが伝達されないことになる。
【００９５】
そこで、無線端末２のルートマップ情報送信部２２２は、無線基地局１ＡからRoute_Map_Ackメッセージを受信できない場合、ルートマップ情報Route_Mapを無線基地局１Ａに再送する。したがって、無線基地局１Ａに対してルートマップ情報Route_Mapを確実に伝達可能となる。
【００９６】
また、本実施形態によれば、ルートマップ情報中継部１２５は、有線通信網（バックボーンネットワーク５）を介して、無線基地局１Ａ以外の接続対象基地局にルートマップ情報Route_Mapを中継する。
【００９７】
有線通信においては、無線通信と比較して通信品質が良好であり、信頼性の高い通信が実現可能である。つまり、無線基地局１Ａから他の接続対象基地局に対し、ルートマップ情報Route_Mapをさらに確実に伝達可能となる。
【００９８】
本実施形態によれば、無線基地局１Ａは、ルートマップ情報Route_Mapの中継先の接続対象基地局からRoute_Map_Ackメッセージを受信できない場合に、ルートマップ情報Route_Mapを中継先の接続対象基地局に再送する。このため、有線通信網（バックボーンネットワーク５）において回線異常などが発生しても、ルートマップ情報Route_Mapを確実に伝達可能となる。
【００９９】
本実施形態によれば、ルートマップ情報中継部１２５は、無線基地局１Ａ以外の接続対象基地局が複数存在する場合に、無線基地局１Ａ以外の接続対象基地局のいずれか１つ（無線基地局１Ｂ）にルートマップ情報Route_Mapを中継する。
【０１００】
これにより、無線基地局１Ａ以外の全ての接続対象基地局にルートマップ情報Route_Mapを中継する場合と比較して、無線基地局１Ａの処理負荷を低減し、負荷分散を図ることができる。
【０１０１】
本実施形態によれば、無線基地局１Ｂは、無線基地局１Ａによって中継されたルートマップ情報Route_Mapの受信に成功した場合に、ルートマップ情報Route_Mapに含まれる基地局ＩＤに基づき、ルートマップ情報Route_Mapを無線基地局１Ｃに中継する。すなわち、接続対象基地局間でルートマップ情報Route_Mapを伝搬させることによって、各接続対象基地局の処理負荷を低減し、負荷分散を図ることができる。
【０１０２】
本実施形態によれば、無線基地局１Ｂは、無線基地局１Ａによって中継されたルートマップ情報Route_Mapの受信に成功した場合、特定用情報に基づき、ルートマップ情報Route_Mapを未受信である接続対象基地局が存在するか否かを判定し、ルートマップ情報Route_Mapを未受信である接続対象基地局が存在すると判定した場合、無線基地局１Ａに対するRoute_Map_Ackメッセージの送信を省略する。
【０１０３】
また、無線基地局１Ｃは、無線基地局１Ｂによって中継されたルートマップ情報Route_Mapの受信に成功した場合、特定用情報に基づき、ルートマップ情報Route_Mapを未受信である接続対象基地局が存在するか否かを判定し、ルートマップ情報Route_Mapを未受信である接続対象基地局が存在しないと判定した場合、Route_Map_Ackメッセージを無線基地局１Ａに送信する。
【０１０４】
つまり、全ての接続対象基地局がRoute_Map_Ackメッセージを送信すると、各接続対象基地局の処理負荷が高まる上に、バックボーンネットワーク５のトラフィック量を増加させてしまう不具合がある。このため、ルートマップ情報Route_Mapを最後に受信した無線基地局１ＣのみがRoute_Map_Ackメッセージを送信することで、上記の不具合を回避できる。
【０１０５】
本実施形態によれば、無線端末２は、無線基地局１Ａとの間にルートが確立された場合に、ルートマップ情報Route_Mapを無線基地局１Ａに送信する。すなわち、無線基地局１Ａとのルートの確立と連続してルートマップ情報Route_Mapを無線基地局１Ａに送信するため、一連の動作シーケンスでルートマップ情報Route_Mapを容易に伝達することができる。
【０１０６】
（５）その他の実施形態
上記のように、本発明は実施形態によって記載したが、この開示の一部をなす論述および図面はこの発明を限定するものであると理解すべきではない。この開示から当業者には様々な代替実施形態、実施例および運用技術が明らかとなる。
【０１０７】
例えば、上述した実施形態では、無線基地局１Ａの処理負荷を低減するために、ルートマップ情報中継部１２５は、無線基地局１Ａ以外の接続対象基地局（無線基地局１Ｂおよび無線基地局１Ｃ）のうち、無線基地局１Ｂにのみルートマップ情報Route_Mapを中継していた。
【０１０８】
しかしながら、無線基地局１Ａの処理負荷が低い状態などにおいては、ルートマップ情報中継部１２５は、無線基地局１Ａ以外の接続対象基地局（無線基地局１Ｂおよび無線基地局１Ｃ）の全てにルートマップ情報Route_Mapを中継してもよい。
【０１０９】
上述した実施形態では、無線端末２は、Route_Open_Acceptメッセージの送信元の無線基地局（具体的には、無線基地局１Ａ）にルートマップ情報Route_Mapを送信していたが、必ずしもRoute_Open_Acceptメッセージの送信元の無線基地局にルートマップ情報Route_Mapを送信しなくてもよい。
【０１１０】
つまり、最終的には全ての接続対象基地局にルートマップ情報Route_Mapが伝達されるため、無線端末２は、任意の接続対象基地局に対してルートマップ情報Route_Mapを送信可能である。
【０１１１】
なお、上述した実施形態では、ＵＭＢシステムに基づく構成について説明したが、ＵＭＢシステムに限らず、ルートマップ情報Route_Mapと等価な情報を無線端末から接続対象基地局の全てに送信する無線通信システムであれば、本発明を応用可能である。
【０１１２】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１１３】
【図１】本発明の実施形態に係る無線通信システムの全体概略構成図である。
【図２】本発明の実施形態に係る無線端末の概略構成図である。
【図３】本発明の実施形態に係る無線端末の制御部の機能ブロック構成図である。
【図４】本発明の実施形態に係る無線基地局の概略構成図である。
【図５】本発明の実施形態に係る無線基地局の制御部の機能ブロック構成図である。
【図６】本発明の実施形態に係るルートマップ情報の具体例を示す図である。
【図７】本発明の実施形態に係る無線通信システムの動作パターン１を示す動作シーケンス図である。
【図８】本発明の実施形態に係る無線通信システムの動作パターン２を示す動作シーケンス図である。
【図９】本発明の実施形態に係る無線通信システムの動作パターン３を示す動作シーケンス図である。
【符号の説明】
【０１１４】
１Ａ〜１Ｃ…無線基地局、２…無線端末、３…アクセスゲートウェイ、４…ネットワーク、５…バックボーンネットワーク、１０…無線通信システム、１１０…ＲＦ部、１２０…制御部、１２１…ルートマップ情報受信部、１２２…受信判定部、１２３…確認応答送信部、１２４…基地局間通信制御部、１２５…ルートマップ情報中継部、１２６…確認応答受信部、１３０…Ｉ／Ｆ部、１４０…記憶部、２１０…ＲＦ部、２２０…制御部、２２１…ルート管理部、２２２…ルートマップ情報送信部、２２３…確認応答受信部、２３０…記憶部、２４０…表示部、２５０…操作部、２６０…マイク、２７０…スピーカ、２８０…音声コーデック部
【図１】
2009267846.tif 000003
【図２】
2009267846.tif 000004
【図３】
2009267846.tif 000005
【図４】
2009267846.tif 000006
【図５】
2009267846.tif 000007
【図６】
2009267846.tif 000008
【図７】
2009267846.tif 000009
【図８】
2009267846.tif 000010
【図９】
2009267846.tif 000011